(57)【特許請求の範囲】
【請求項１】
水廻り器具と二本の横引き管とを接続するダブル配管用継手であって、
前記水廻り器具から伸びる排水管体に接続される有底の筒状基体と、
前記筒状基体より同一方向に向かって伸び、前記横引き管が接続される二本の細径の筒体と、よりなり、
前記二本の細径の筒体は、前記筒状基体の上下に位置を違えて形成したダブル配管用継手。
【請求項２】
前記二本の細径の筒体は、前記筒状基体の左右にオフセットして形成した請求項１に記載のダブル配管用継手。
【発明の詳細な説明】
【技術分野】
【０００１】
本発明はサイフォン排水システムに用いられる継手に関するものであり、特に言えば、キッチン等の排水に用いられるサイフォン排水用継手に係るものである。
【背景技術】
【０００２】
近年になり、従来の勾配排水システムに代わってサイフォン排水システムが提案されている。このサイフォン排水システムの概要は、排水立て管と、水廻り器具からの横引き管と、５０ｃｍ以上の水頭をもつ合流部と、からなり、横引き管がそのまま他と合流することなく前記合流部へ接続される排水システムである。そして、横引き管内の水は水頭差の分だけサイフォン力が発生し、この横引き管内の水を排水するシステムである。
【０００３】
しかるに、従来のサイフォン排水システムにあっては、キッチン等の一度に多量の排水に用いる継手は特別なものはなく、キッチン等のサイフォン排水において、ダブル配管システムが提案されてはいるが、継手自体の技術がほとんど開発されていない。勿論、ダブル配管システムにおける上管についての技術そのものがない。
【０００４】
従って、サイフォン排水システムにおけるキッチン等の排水に用いる継手（ダブル配管継手）は、既存の技術を用いて継手を構成することが行われている。しかるに、既存の部材を接続して継手を構成する場合、多くのインクリーザーやレデユーサーを多用しなくてはならず、又、上下２段になるため、床下に収めることが困難であった。
【０００５】
図１は既存のもので接続してダブル配管用の継手を構成した例であり、１１はキッチンからの排水管、１２は５０Ａのチ−ズ、１３は５０Ａのエルボである。チ−ズ１２とエルボ１３とが接続された背丈は３００ｍｍがほぼ限度とされている。サイフォン排水システムにおける横引き管１４、１５は通常は２０Ａの樹脂管であり、太径のチ−ズ１２やエルボ１３から細径の横引き管１４、１５の太さにまで径を細くするレデュ−サ−１６或いはパイプ１７を重ねて用いることにより順次径を小さくするものである。
【０００６】
このように既存の部材を多く用いて組み立てられているため、その組み立てにおける作業性が複雑で、コストがかかり、しかも、多数の部材を組み立てることから来る漏水が心配される。
【発明の開示】
【発明が解決しようとする課題】
【０００７】
本発明は以上のような従来技術に鑑みてなされたものであり、サイフォン排水システムに好適な器具と二本の排水管とを接続するダブル配管用継手を提供することを目的とするものである。
【課題を解決するための手段】
【０００８】
本発明の要旨は、水廻り器具と二本の横引き管とを接続するダブル配管用継手であって、水廻り器具から伸びる排水管体に接続される有底の筒状基体と、この筒状基体より同一方向に向かって伸び、横引き管が接続される二本の細径の筒体と、よりなることを特徴とするダブル配管用継手にかかるものである。
【発明の効果】
【０００９】
本発明にあっては、継手を構成するために従来のインクリーザーやレデューサーを多用することなく、継手が構成されるために漏水の発生は極めて低減され、しかも、組み立て作業性も簡便となったものである。又、従来の構造の継手にあっては、ごみ等はインクリ−ザ−やレデュ−サ−内に入り込み、これを除去することは容易ではないが、本発明にあっては、有底の筒状基体内にごみ等が納まってしまうため、水廻り器具からの排水管を外すことによりこれを容易に除去することができるという大きな特徴を兼ね備えている。
【発明を実施するための最良の形態】
【００１０】
上記したように、キッチン等の排水に適用したサイフォン排水システムにおいて、特に好ましい配管継手はなく、既存の部材を繋ぎ合わせて構成するのが一般的であった。この発明はサイフォン排水システムに最適な継手にかかり、一度に多量の排水が予想される器具に用いるダブル配管継手を提供するものである。
【００１１】
即ち、本発明のダブル配管用継手は、好ましくは塩ビ樹脂製による継手であり、水廻り器具からの排水管体に接続される有底の筒状基体と横引き管が接続される二本の細径の筒体とが一体に形成されるのが好ましい。尚、筒状基体は有底であり、これはフラットな底部をなしていても、椀状の底部をなしていてもよく、特に限定はされない。
【００１２】
筒状基体は器具の排水管体に対して立設させるものであり、二本の細径の筒体は、筒状基体の上下に位置を違えて形成するものである。尚、左右にオフセットされて形成される場合もあり、筒体の径を異ならせて形成する場合もある。通気のためには上筒体を太く、サイフォン起動を早くするためには下筒体を細く、排水処理量を多くするためには下筒体を太くすることが夫々考えられる。
【００１３】
本発明のダブル配管用継手は、例えば、筒状基体の径が５０Ａであり、細径の筒体の径が２０Ａである。この細径の筒体の先端は排水管である横引き管がそのまま接着等により装着できるように構成するのがよい。
【００１４】
本発明のダブル配管用継手は、塩ビ、ＡＢＳ、ＰＰ等の樹脂製であっても、鋳鉄等の金属製であってもよく、更にはその成形方法は問わない。
【実施例】
【００１５】
図２は本発明のサイフォン排水キッチン用継手、即ちダブル配管用継手の第１例の正面図、図３は上面図、図４は一部切断側面図である。符号１は図示しない水廻り器具から伸びる排水管体に接続される有底の筒状基体であり、２、３は横引き管が接続される二本の細径の筒体であって、上下の高さを異ならせて同一方向に突出形成されている。又、筒状基体１の有底部１ａの周囲にはフランジ１ｂを設けたものである。これらは全て塩ビ樹脂によって一体に形成されたものである。
【００１６】
そして、筒状基体１の筒部分を５０Ａの塩ビ管と同サイズとすることにより、器具側の排水管との接続は、一般的な塩ビ管と排水器具の蛇腹管や直管等を接続する既存の継手を使用できる。又、突出する細径の筒体２、３は２０Ａ相当とするものであり、夫々に内側段部２ａ、３ａが形成され、横引き管４、５を差し込み、接着剤にて接着一体化されるものである。更に、フランジ１ｂにビス穴１ｃ等を穿孔しておき、スラブ６への固定も容易にできるようにするのが好ましい。
【００１７】
細径の筒体２、３は上下に鉛直方向の間隔Ｓをもって形成されるが、この間隔Ｓは筒体の芯・芯間で１０ｍｍ以上、好ましくは２０ｍｍ以上がよい。
【００１８】
さて、一度に多量の排水が予想される際には、太径の管に排水を受け、この管に二本の横引き管を接続して二本ともサイフォン力によって排水するシステムが採用されており、本発明のサイフォン排水キッチン用継手もこれに適用されるものであり、二本の横引き管４、５は上下に高さを違えて備えられ、いわゆる溜め流し排水の際は、上管４・下管５共に満流でサイフォンを発揮しながら流れ、これにより必要排水量を確保できる。
【００１９】
一方、連続排水時には、ほとんど下管５のみでサイフォン排水を行うが、排水開始直後は上記したように上管４も使用して排水を実施する。しかるに、上管４を使用するのは排水開始直後のみですぐ使用しなくなる。その際、従来のように上下の横引き管４、５が無勾配である場合には上管４内には水が残留することがある。このように、上管４に水が残留すると、下管５で生じた過剰なサイフォン力（負圧）は太径の管内のエアを吸おうとし、かかる負圧はトラップからの水とエアを、或いは上管４内に水が残留する場合には、上管４内の水とエアを同時に吸い込むこととなってしまう。このため、水とエアを同時に吸い込むことによるズ−ズ−という騒音をもたらすこととなる。
【００２０】
このため、上管４に多少の勾配１／２００以上、好ましくは１／５０〜１／１００程度の勾配をもって設置することにより、上管４内に残留した水を、勾配により立て管方向に流す仕組みとするのが好ましい。この勾配のため上管４内を空にすることができ、下管５で生じた過剰なサイフォン力は上管４からエアを吸うことで解消される。即ち、トラップ側からエアを吸うことがないため、排水騒音を低減させることとなったものである。又、トラップ側に過剰なサイフォン力（負圧）がかからなくなったため、封水切れに関しても防ぐことを可能としたものである。
【００２１】
本発明の継手は、一般的な二重床の床下に収まる形状としながら、小口径の二本の筒体２、３の上下の間隔Ｓを空けることがよく、上管４の勾配を最大限とることができるようにすべきである。この間隔Ｓは４０ｍｍ程度でよく、これによって、１／１００の勾配であれば４ｍ程度の横引きが取れる。実際には、上記の勾配は管４内の水を流すという目的ではなく、管４内を空にするのが目的であるので、かかる勾配は更に小さくても可能であり、８ｍ程度までの横引きが可能となる。
【００２２】
従って、図示はしないが、予め上側の筒体２を勾配付きの筒体としておくこともでき、これによって上記のような排水時の騒音を低減できる継手が提供できるものである。
【００２３】
図５は本発明のダブル配管用継手の第２例の正面図である。図にあって、有底の筒状基体１の上縁の周囲にフランジ１ｂを設けたものであり、床７の裏側に図示しないビス等にて固定されるものである。
【００２４】
図６は本発明のダブル配管用継手の第３例の正面図である。図にあって、有底の筒状基体１の側面から鉛直方向にオフセットされて二本の細径の筒体２、３が形成された例である。上筒体２に勾配を形成する際に両筒体が干渉しないために有効である。
【産業上の利用可能性】
【００２５】
本発明にあっては、継手を構成するために従来のインクリーザーやレデューサーを多用することなく、継手が構成されるために漏水の発生は極めて低減され、しかも、組み立て作業性も簡便となったものである。又、従来の構造の継手にあっては、ごみ等はインクリ−ザ−やレデュ−サ−内に入り込み、これを除去することは容易ではないが、本発明にあっては、有底の筒状基体内にごみ等が納まってしまうため、水廻り器具からの排水管を外すことによりこれを容易に除去することができるという大きな特徴を兼ね備えている。
【００２６】
更に、上管に勾配を付けることによりサイフォン排水時における（水＋エア）の系の吸い込みはなく、ズ−ズ−という排水騒音はなくなったものである。
【図面の簡単な説明】
【００２７】
【図１】図１は既存のもので接続してダブル配管用の継手を構成した例である。
【図２】図２は本発明のサイフォン排水キッチン用継手の第１例の正面図である。
【図３】図３は図２における継手の上面図である。
【図４】図４は一部切断側面図である。
【図５】図５は本発明のサイフォン排水キッチン用継手の第２例の正面図である。
【図６】図６は本発明のサイフォン排水キッチン用継手の第３例の正面図である。
【符号の説明】
【００２８】
１‥筒状基体、
１ａ‥筒状基体の有底部、
１ｂ‥フランジ、
１ｃ‥ビス穴、
２、３‥細径の筒体、
２ａ、３ａ‥内側段部、
４、５‥横引き管、
６‥スラブ、
７‥床、
Ｓ‥上下管の鉛直方向の間隔。
【図１】
0004713982.tif 000002
【図２】
0004713982.tif 000003
【図３】
0004713982.tif 000004
【図４】
0004713982.tif 000005
【図５】
0004713982.tif 000006
【図６】
0004713982.tif 000007